(57)【特許請求の範囲】
【請求項１】
走行機体の前部に昇降自在に連結される前処理部の側部を着脱自在なサイドカバーで覆うコンバインであって、
前記前処理部の側部に配置されて前方を照らすライトを備え、
該ライトは、ステーを介して前処理部フレームに設けられていて、正面視で前記サイドカバーの外側方に前記サイドカバーの着脱空間を存して配置されるものであって、
前記ステーは、サイドカバーの後方を左右方向に横切る状態で前処理部フレームから左右方向外方に向けて延出したものがさらに前方に向けて折曲されたものであり、
ライトは、ステーの前方に向けて折曲された部位の前端部に設けられている
ことを特徴とするコンバイン。
【請求項２】
ステーの前方に向けて折曲された部位の前端部は、さらに下方に向けて折曲された部位を有し、ライトは、該下方に向けて折曲された部位に設けられていることを特徴とする請求項１に記載のコンバイン。
【請求項３】
前記前処理部は、タイン縦回し駆動型強制分草装置を装着可能であり、
前記ライトは、正面視で最も外側に装着される前記タイン縦回し駆動型強制分草装置よりも外側方に位置することを特徴とする請求項１又は２に記載のコンバイン。
【請求項４】
ライトが前記下方に向けて折曲された部位に設けられることで、
前記ステーは、左右方向に延びる部位と、該部位から前方に向けて折曲される部位とがライトよりも高位になる状態で平面視でＬ字形になっていてオイル容器を載置可能に構成されていることを特徴とする請求項２または３記載のコンバイン。
【請求項５】
前記ステーは、正面視又は背面視でコ字形状を有し、その両端が前記前処理部フレームに強固に固定されることを特徴とする請求項１〜４のいずれか一項に記載のコンバイン。
【発明の詳細な説明】
【技術分野】
【０００１】
本発明は、前処理部の側部に前方を照らすライトを備えるコンバインに関する。
【背景技術】
【０００２】
前処理部の側部に前方を照らすライト（作業灯及び前照灯を含む）を備えるコンバインが知られている。例えば、特許文献１に記載されるコンバインでは、前処理部の側部を覆うサイドカバーに外側方に膨出する膨出部を形成し、該膨出部内にライトを配置するとともに、サイドカバーに形成される開口部を介してライトの光を前方に出射させている。
【先行技術文献】
【特許文献】
【０００３】
【特許文献１】特許第４２２０２５５号公報
【発明の概要】
【発明が解決しようとする課題】
【０００４】
しかしながら、特許文献１に示されるライトの配置構成では、サイドカバーにライトを収容するための膨出部やライトの光を出射するための開口部を形成する必要があるので、サイドカバーの形状が複雑になり、コストアップを招来する虞がある。
【課題を解決するための手段】
【０００５】
本発明は、上記の如き実情に鑑みこれらの課題を解決することを目的として創作されたものであって、請求項１の発明は、走行機体の前部に昇降自在に連結される前処理部の側部を着脱自在なサイドカバーで覆うコンバインであって、前記前処理部の側部に配置されて前方を照らすライトを備え、該ライトは、ステーを介して前処理部フレームに設けられていて、正面視で前記サイドカバーの外側方に前記サイドカバーの着脱空間を存して配置されるものであって、前記ステーは、サイドカバーの後方を左右方向に横切る状態で前処理部フレームから左右方向外方に向けて延出したものがさらに前方に向けて折曲されたものであり、ライトは、ステーの前方に向けて折曲された部位の前端部に設けられていることを特徴とするコンバインである。
請求項２の発明は、ステーの前方に向けて折曲された部位の前端部は、さらに下方に向けて折曲された部位を有し、ライトは、該下方に向けて折曲された部位に設けられていることを特徴とする請求項１に記載のコンバインである。
請求項３の発明は、前記前処理部は、タイン縦回し駆動型強制分草装置を装着可能であり、前記ライトは、正面視で最も外側に装着される前記タイン縦回し駆動型強制分草装置よりも外側方に位置することを特徴とする請求項１又は２に記載のコンバインである。
請求項４の発明は、ライトが前記下方に向けて折曲された部位に設けられることで、前記ステーは、左右方向に延びる部位と、該部位から前方に向けて折曲される部位とがライトよりも高位になる状態で平面視でＬ字形になっていてオイル容器を載置可能に構成されていることを特徴とする請求項２または３記載のコンバインである。
請求項５の発明は、前記ステーは、正面視又は背面視でコ字形状を有し、その両端が前記前処理部フレームに強固に固定されることを特徴とする請求項１〜４のいずれか一項に記載のコンバインである。
【発明の効果】
【０００６】
請求項１の発明によれば、前処理部の側部に配置されて前方を照らすライトが、正面視でサイドカバーの外側方に配置されているので、サイドカバー内にライトを配置する場合のように、サイドカバーに膨出部や開口部を形成する必要がなく、その結果、サイドカバーの形状を簡略化してコストダウンが可能となる。また、サイドカバーとライトの間には、サイドカバーの着脱空間が確保されているので、サイドカバーの着脱に際してライトが邪魔になることも回避できる。
また、請求項３の発明によれば、ライトは、正面視で最も外側に装着されるタイン縦回し駆動型強制分草装置よりも外側方に位置するので、タイン縦回し駆動型強制分草装置によってライトの前方が覆われてしまう場合のように、ライトを外側方に移設する必要がない。
また、請求項４の発明によれば、ライトのステーは、オイル容器を載置可能な形状を有するので、ステーをオイル容器の載置台に兼用できるだけでなく、集中注油オイルタンクへのオイル補充作業などが容易になる。
また、請求項５の発明によれば、ライトのステーは、正面視又は背面視でコ字形状を有し、その両端が前処理部フレームに強固に固定されるので、メンテナンス時などに掴まる取っ手や、前処理部を吊り上げる際の引掛け部として機能させることができる。
【図面の簡単な説明】
【０００７】
【図１】本発明の実施形態に係るコンバインの正面図である。
【図２】本発明の実施形態に係るコンバインの右側面図である。
【図３】本発明の実施形態に係るコンバインの平面図である。
【図４】本発明の実施形態に係る前処理部のフレーム構成及びライトの支持構造を示す斜視図である。
【図５】本発明の実施形態に係る前処理部のサイドカバー着脱構造を示す背面斜視図である。
【図６】本発明の実施形態に係る前処理部のサイドカバーを取り外す手順を示す説明図であり、（Ａ）はサイドカバー取付状態を示す正面図、（Ｂ）はサイドカバー傾倒状態を示す正面図、（Ｃ）はサイドカバー持ち上げ状態を示す正面図である。
【図７】本発明の実施形態に係る前処理部にタイン縦回し駆動型強制分草装置を装着した状態を示す正面図である。
【図８】本発明の実施形態に係るライトのステーにオイル容器を載置した状態を示す斜視図である。
【図９】本発明の第２実施形態に係るライトの支持構造を示す斜視図である。
【発明を実施するための形態】
【０００８】
以下、本発明の実施の形態について、図面に基づいて説明する。図１〜図３において、１は自脱型のコンバインであって、該コンバイン１は、走行機体２と、走行機体２の前端部に昇降自在に連結される前処理部３とを備える。走行機体２には、前処理部３で刈り取った茎稈から穀粒を脱穀して選別する脱穀部４と、選別された穀粒を貯溜する穀粒タンク５と、穀粒タンク５内の穀粒を機外に搬出する排出オーガ６と、脱穀済みの排稈を後処理する後処理部７と、オペレータが乗車する操縦部８と、左右一対のクローラ走行装置９からなる走行部１０とが設けられている。
【０００９】
図１〜図４に示すように、前処理部３は、前端部に左右方向に所定の間隔を存して並ぶように配置され、未刈り茎稈を分草して複数の茎稈導入経路１１に導く複数のデバイダ１２と、前面部に左右方向に並ぶように立設され、茎稈導入経路１１に導入された茎稈を引き起す複数の引起装置１３と、茎稈の株元を刈り取る刈刃装置（図示せず）と、刈り取った茎稈を脱穀部４に向けて搬送する前処理搬送装置（図示せず）と、これらを支持する前処理部フレーム１４とを備える。
【００１０】
図４に示すように、前処理部フレーム１４は、前処理部３の昇降動作の回動支点となる回動支点フレーム１５と、回動支点フレーム１５から前下方に延出するメインフレーム１６と、メインフレーム１６の前端から左右に延出する横フレーム１７と、左右方向に所定の間隔を存して横フレーム１７に立設される複数の縦フレーム１８と、左右方向に所定の間隔を存して横フレーム１７から前方に延出する複数のデバイダフレーム１９（図５参照）とを備える。
【００１１】
前処理部フレーム１４を構成する各フレーム１５〜１９は、いずれもパイプ部材を用いて構成され、そのうちフレーム１５〜１８は、その内部に伝動軸（図示せず）を内装する伝動ケースに兼用されている。
【００１２】
具体的に説明すると、回動支点フレーム１５の一端部には、入力プーリＰが設けられ、該入力プーリＰに入力された前処理動力は、第１ギヤケース２０を介してメインフレーム１６内の第１伝動軸に伝動される。第１伝動軸に伝動された動力は、第２ギヤケース２１を介して横フレーム１７内の第２伝動軸に伝動される。第２伝動軸に伝動された動力は、第３〜第５ギヤケース２２〜２４を介して各縦フレーム１８内の第３〜第５伝動軸に伝動されるとともに、第６及び第７ギヤケース２５、２６などを介して前処理搬送装置や刈刃装置に伝動される。第３〜第５伝動軸に伝動された動力は、各縦フレーム１８の上端部に設けられる第８〜１０ギヤケース２７〜２９を介して引起装置１３の駆動スプロケット１３ａに伝動される。
【００１３】
ちなみに、引起装置１３は、図５に示すように、縦フレーム１８の上端部とデバイダフレーム１９の中間部との間に傾斜状に架設される引起ケース１３ｂと、装置上端側に配置される駆動スプロケット１３ａと、装置下端側に配置されるガイドローラ（図示せず）と、所定の間隔を存して複数のタイン１３ｃが起伏自在に枢着された引起チェーン（図示せず）と、引起装置１３の前面を覆う引起カバー１３ｄとを備え、駆動スプロケット１３ａ及びガイドローラに巻回された引起チェーンの周回動作に応じてタイン１３ｃで茎稈を引き起こすように構成されている。
【００１４】
前処理部３の左右両側部は、着脱自在なサイドカバー３０、３１で覆われており、図５及び図６は、右側サイドカバー３１（以下、単にサイドカバー３１という）の着脱構造及び取り外し手順を示している。本実施形態のサイドカバー３１は、側面視三角形状で、正面視で下端側が外側方に膨出した樹脂製カバーであり、引起装置１３の上端から下端に亘って設けられており、サイドカバー３１を取り外すことにより、引起装置１３の側方全体が開放され、前処理部３の内部のメンテナンスが容易になる。そして、本実施形態のサイドカバー３２は、下端部が前処理部３の右端に位置するデバイダフレーム１９に係合状に保持され、上端側が前処理部３の右端に位置する引起ケース１３ｂにノブボルト３２を介して緊締状に固定される。
【００１５】
つまり、前処理部３の右端に位置するデバイダフレーム１９には、前後方向に沿う係合軸３３が逆Ｌ字状のプレート部材３４を介して設けられる一方、サイドカバー３１の下端側には、係合軸３３に上方から係合する係合溝３５ａを有した前後一対の係合片３５が設けれている。また、引起ケース１３ｂの上端側には、後方からノブボルト３２がねじ込まれるプレート部材３６が外側方に向けて突設される一方、サイドカバー３１の上端側には、ノブボルト３２のボルト軸に外側方から係合する係合溝３７ａを有した固定片３７が設けられており、ノブボルト３２とプレート部材３６との間に固定片３７が差し込まれた状態でノブボルト３２を締め込むことにより、サイドカバー３１の上端側が引起ケース１３ｂに緊締状に固定される。
【００１６】
図５及び図６に示すように、サイドカバー３１を取り外す場合は、まず、ノブボルト３２を緩め側に回し操作する。ノブボルト３２を緩めると、固定片３７の固定が解除され、サイドカバー３１の上端側の取り外しが可能になる。このとき、サイドカバー３１は、下端側の係合状態が維持されているので、係合軸３３を支点とする外側方への傾倒操作が許容される（図５の仮想線及び図６の（Ｂ）参照）。つぎに、外側方へ傾倒させたサイドカバー３１を上方へ持ち上げる（図６の（Ｃ）参照）。サイドカバー３１を持ち上げると、係合片３５が係合軸３３から外れ、サイドカバー３１の取り外しが可能になる。なお、サイドカバー３１の取り付けは、取り外しと逆の手順で行われる。
【００１７】
つぎに、本発明の要部であるライト４０の配置構造について、図１〜図８を参照して説明する。
【００１８】
図１〜図３に示すように、前処理部３の右側部には、前方を照らす前照灯及び／又は作業灯として機能するライト４０が設けられている。図１に示すように、本発明の実施形態に係るライト４０は、正面視でサイドカバー３１の外側方に所定の間隔を存して配置されており、サイドカバー３１においては、ライト４０を収容するための膨出部や、ライト４０の光を出射するための開口部が不要となっている。
【００１９】
ライト４０とサイドカバー３１との間には、サイドカバー３１の着脱空間が確保される。これにより、サイドカバー３１の着脱に際してライト４０が邪魔になることを回避できるが、さらに、本実施形態では、側面視でサイドカバー３１とオーバーラップするようにライト４０を配置することにより、サイドカバー３１の着脱に際し、ライト４０をサイドカバー３１の倒れを防止部材や、サイドカバー３１の着脱ガイド部材に兼用することを可能にしている。
【００２０】
つまり、本実施形態のライト４０は、図６の（Ｂ）、（Ｃ）に示すように、サイドカバー３１の着脱に際し、サイドカバー３１の外側面に当接することで、サイドカバー３１の倒れを防止できるだけでなく、サイドカバー３１の上げ下げをガイドすることが可能になる。
【００２１】
また、本実施形態の前処理部３は、図７に示すように、タイン縦回し駆動型強制分草装置４１を装着可能であるが、ライト４０は、正面視で最も左側に装着されるタイン縦回し駆動型強制分草装置４１よりも外側方に位置するように配置されている。これにより、タイン縦回し駆動型強制分草装置４１でライト４０の前方が覆われてしまう場合のように、ライト４０を外側方に移設する必要がない。
【００２２】
ちなみに、タイン縦回し駆動型強制分草装置４１は、タイン横回し駆動型である引起装置１３と略同様の構造を有し、タイン（図示せず）が前方に突出するように正面視でデバイダ１２（本実施形態では、正面視で左端のデバイダ１２、右端のデバイダ１２及び中央のデバイダ１２）の中心位置に立設されている。したがって、ライト４０は、正面視で最も左側（外側）に位置するデバイダ１２よりも左側（外側）に位置している。そして、タイン縦回し駆動型強制分草装置４１は、引起装置１３から取り出される動力で駆動し、該駆動に応じて上昇動作するタインによって茎稈を強制的に分草するが、タイン縦回し駆動型強制分草装置４１自体の構成は従来通りである。
【００２３】
ライト４０は、ステー４２を介して前処理部フレーム１４に取り付けられている。本実施形態のステー４２は、図５に示すように、背面視でコ字形状を有する金属部材であり、その両端が前処理部フレーム１４に強固に固定される。例えば、本実施形態のステー４２は、両端部にプレート部材４３、４４が一体的に溶着されており、下側のプレート部材４３は、前処理部３の右端部に立設される縦フレーム１８に溶着されたブラケット４５にボルト固定される一方、上側のプレート部材４４は、同じ縦フレーム１８の上端部に設けられた第８ギヤケース２７にボルト固定されている。このようなステー４２によれば、メンテナンス時などに掴まる取っ手や、前処理部３を吊り上げる際の引掛け部として機能させることが可能になる。
前記ステー４２は、具体的には、縦フレーム１８に固定される基端部からサイドカバー３１の後方を左右方向に横切る状態で左右方向外方に向けて延出した部位４２ａと、該部位４２ａの左右方向外端部からさらに前方に向けて折曲された部位４２ｂとを備えて平面視でＬ字形状を有しており、かつ該前方に折曲された部位４２ｂの前端部は、さらに下方に向けて折曲された部位４２ｃを有している。そしてこの下方に向けて折曲された部位４２ｃに前記ライト４０が設けられているが、該ライト４０は、前記Ｌ字形になった部位４２ａ、４２ｂよりも低位になるよう設けられており、これによって、前記Ｌ字形になった部位４２ａ、４２ｂは、ライト４０よりも高位の状態になっていて、オイル容器４６を載置できるよう構成されている。そしてステー４２は、下方に向けて折曲された部位４２ｃの下端部から、サイドカバー３１の後方を左右方向に横切る状態で左右方向内方に向けて折曲され、該折曲された部位４２ｄの左右方向内端部が前記縦フレーム１８に固定されており、これによってステー４２は、前述したように背面視したときにコ字形になっている。
【００２４】
さらに、本実施形態のステー４２は、図８に示すように、オイル容器４６を載置可能な平面形状を有する。具体的に説明すると、本実施形態のステー４２は、図３及び図４に示すように、平面視Ｌ字形状を有しており、曲げ部を挟む略直角な２辺によりオイル容器４６を安定に支持することが可能となっている。そして、本実施形態の前処理部３は、図４及び図８に示すように、サイドカバー３１の上側内部に集中注油オイルタンク４７を備えるので、集中注油オイルタンク４７にオイルを補充する際、ステー４２をオイル容器４６の載置台として利用することにより、オイル補充作業が容易になる。ちなみに、集中注油オイルタンク４７は、図示しないポンプ（手動又は電動）及び配管を介して複数の注油箇所に接続されており、集中注油オイルタンク４７内のオイルがポンプの駆動に応じて複数の注油箇所に注油される。
【００２５】
叙述の如く構成された本実施形態によれば、走行機体２の前部に昇降自在に連結される前処理部３の側部を着脱自在なサイドカバー３１で覆うコンバイン１であって、前処理部３の側部に配置されて前方を照らすライト４０を備え、該ライト４０は、正面視でサイドカバー３１の外側方に配置されているので、サイドカバー３１内にライト４０を配置する場合のように、サイドカバー３１に膨出部や開口部を形成する必要がなく、その結果、サイドカバー３１の形状を簡略化してコストダウンが可能となる。
【００２６】
また、サイドカバー３１とライト４０の間には、サイドカバー３１の着脱空間が確保されているので、サイドカバー３１の着脱に際してライト４０が邪魔になることも回避できる。
【００２７】
また、ライト４０は、側面視でサイドカバー３１とオーバーラップするので、サイドカバー３１の着脱に際し、ライト４０を利用してサイドカバー３１の倒れを防止できるだけでなく、ライト４０をサイドカバー３１の着脱ガイド部材に兼用することができる。
【００２８】
また、前処理部３は、タイン縦回し駆動型強制分草装置４１を装着可能であり、ライト４０は、正面視で最も外側に装着されるタイン縦回し駆動型強制分草装置４１よりも外側方に位置するので、タイン縦回し駆動型強制分草装置４１によってライト４０の前方が覆われてしまう場合のように、ライト４０を外側方に移設する必要がない。
【００２９】
また、ライト４０は、ステー４２を介して前処理部フレーム１４に設けられ、ステー４２は、オイル容器４６を載置可能な形状を有するので、ステー４２をオイル容器４６の載置台に兼用できるだけでなく、集中注油オイルタンク４７へのオイル補充作業などが容易になる。
【００３０】
また、ライト４０は、ステー４２を介して前処理部フレーム１４に設けられ、ステー４２は、正面視又は背面視でコ字形状を有し、その両端が前処理部フレーム１４に強固に固定されるので、メンテナンス時などに掴まる取っ手や、前処理部３を吊り上げる際の引掛け部として機能させることができる。
【００３１】
なお、本発明は前記実施形態に限定されるものではなく、特許請求の範囲に記載された本発明の要旨の範囲内において、種々の変形、変更が可能である。
【００３２】
例えば、前記実施形態のライト４０は、ステー４２の外端前側に取り付けられているが、図９に示すように、ステー４２の外端内側に取り付けてもよい。このようにすると、ライト４０がステー４２で囲まれるので、障害物との接触によるライト４０の破損や変形を防止することが可能になる。
【符号の説明】
【００３３】
１  コンバイン
３  前処理部
１２  デバイダ
１３  引起装置
１４  前処理部フレーム
３１  サイドカバー
４０  ライト
４１  タイン縦回し駆動型強制分草装置
４２  ステー
４６  オイル容器
４７  集中注油オイルタンク
【図１】
0006647869.tif 000002
【図２】
0006647869.tif 000003
【図３】
0006647869.tif 000004
【図４】
0006647869.tif 000005
【図５】
0006647869.tif 000006
【図６】
0006647869.tif 000007
【図７】
0006647869.tif 000008
【図８】
0006647869.tif 000009
【図９】
0006647869.tif 000010